Podtech/llm-jp-corpus-v4-ja_patent huggingface dataset:
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
サンプル中のAPC遺伝子、K-ras遺伝子、β-カテニン遺伝子及びB-raf遺伝子の変異解析による大腸癌細胞及び/又は腸癌前駆細胞の非侵襲的早期検出のための方法であって、下記のステップ：
大便サンプルを採取するステップ、
該サンプルをホモジナイズするステップ、
該サンプルからDNAを取得するステップ、
プライマーを用いてAPC遺伝子、K-ras遺伝子、β-カテニン遺伝子及びB-raf遺伝
子中の増幅反応を行うステップであって、APC遺伝子にはプライマー
s1    TTGCAGTTATGGTCAATACCC
as1    GTGCTCTCAGTATAAACAGGATAAG
s2    CCTCAAAAGGCTGCCACTTG
as2    CTGTGACACTGCTGGAACTTCGC
s3    AGCACCCTAGAACCAAATCCAGCAG
as3    TGGCATGGTTTGTCCAGGGC
s4    ACAAACCATGCCACCAAGCAGA
as4    GAGCACTCAGGCTGGATGAACAAG
s5    TTCCAGATGCTGATACTTTA
as5    CTGAATCATCTAATAGGTCC
或いは
s2    GAATCAGCTCCATCCAAGT
as2    TTTCTGCTATTTGCAGGGT  
を用い、K-ras遺伝子にはプライマー
s    CTGGTGGAGTATTTGATAGTG
as    TCTATTGTTGGATCATATTCG
を用い、β-カテニン遺伝子にはプライマー
s    CTGATTTGATGGAGTTGGAC
as    CTTGAGTGAAGGACTGAGAA
を用い、B-raf遺伝子にはプライマー
s    TGTATCACCATCTCCATATC
as    GCATTCTGATGACTTCTGGT
を用いる、ここで増幅産物が形成される、上記ステップ、及び
該増幅産物の変異解析を行うステップ、
を含むことを特徴とする、前記方法。
【請求項２】
APC遺伝子、K-ras遺伝子、β-カテニン遺伝子及びB-raf遺伝子の選択された部分における変異の検出がDNAチップによって行われ、該DNAチップが、上記遺伝子の、請求項1で特定したプライマー配列によって隣接される領域に由来するAPC遺伝子、K-ras遺伝子、β-カテニン遺伝子及びB-raf遺伝子のプローブを含むことを特徴とする、請求項1に記載の方法。
【請求項３】
APC遺伝子、K-ras遺伝子、β-カテニン遺伝子及びB-raf遺伝子が、ビオチン残基のストレプトアビジンへのカップリングを使用した配列特異的ビオチン化オリゴヌクレオチドのAPC遺伝子、K-ras遺伝子、β-カテニン遺伝子及びB-raf遺伝子へのハイブリダイゼーション、及びその後の磁性粒子を介した分離によって全DNAから蓄積されることを特徴とする、請求項1または2に記載の方法。
【請求項４】
増幅産物、特にPCR産物が、対照のために精製前にアガロースゲル中で分離されることを特徴とする、請求項1〜3のいずれか1項に記載の方法。
【請求項５】
前記PCR産物の変異解析が、電気泳動技術、好ましくはSSCPを用いて行われる、或いはクロマトグラフィー法、好ましくは高速液体クロマトグラフィー（HPLC）に基づいた方法によって行われることを特徴とする、請求項1〜4のいずれか1項に記載の方法。
【請求項６】
検出された一本鎖の変異原コンホメーションが、単離され、場合によりシークエンシングされることを特徴とする、請求項1〜5のいずれか1項に記載の方法。
【請求項７】
下記のプライマーを含む群から選択されるプライマー配列。
APC遺伝子についてのプライマー：
s1    TTGCAGTTATGGTCAATACCC
as1    GTGCTCTCAGTATAAACAGGATAAG
s2    CCTCAAAAGGCTGCCACTTG
as2    CTGTGACACTGCTGGAACTTCGC
s3    AGCACCCTAGAACCAAATCCAGCAG
as3    TGGCATGGTTTGTCCAGGGC
s4    ACAAACCATGCCACCAAGCAGA
as4    GAGCACTCAGGCTGGATGAACAAG
s5    TTCCAGATGCTGATACTTTA
as5    CTGAATCATCTAATAGGTCC
或いは
s2    GAATCAGCTCCATCCAAGT
as2    TTTCTGCTATTTGCAGGGT
K-ras遺伝子についてのプライマー：
s    CTGGTGGAGTATTTGATAGTG
as    TCTATTGTTGGATCATATTCG
β-カテニン遺伝子についてのプライマー：
s    CTGATTTGATGGAGTTGGAC
as    CTTGAGTGAAGGACTGAGAA
B-raf遺伝子についてのプライマー：
s    TGTATCACCATCTCCATATC
as    GCATTCTGATGACTTCTGGT
【請求項８】
大腸癌細胞および／または腸癌前駆細胞を検出するための、変異解析、特に大便サンプル中の、APC遺伝子、K-ras遺伝子、β-カテニン遺伝子及びB-raf遺伝子の解析における、請求項7に記載のプライマー配列の使用。
【請求項９】
下記のプライマーを含む群から選択されるプライマーと、場合によりキットの内容物の組合せに関する情報とを含むキット。
APC遺伝子についてのプライマー：
s1    TTGCAGTTATGGTCAATACCC
as1    GTGCTCTCAGTATAAACAGGATAAG
s2    CCTCAAAAGGCTGCCACTTG
as2    CTGTGACACTGCTGGAACTTCGC
s3    AGCACCCTAGAACCAAATCCAGCAG
as3    TGGCATGGTTTGTCCAGGGC
s4    ACAAACCATGCCACCAAGCAGA
as4    GAGCACTCAGGCTGGATGAACAAG
s5    TTCCAGATGCTGATACTTTA
as5    CTGAATCATCTAATAGGTCC
或いは
s2    GAATCAGCTCCATCCAAGT
as2    TTTCTGCTATTTGCAGGGT
K-ras遺伝子についてのプライマー：
s    CTGGTGGAGTATTTGATAGTG
as    TCTATTGTTGGATCATATTCG
β-カテニン遺伝子についてのプライマー：
s    CTGATTTGATGGAGTTGGAC
as    CTTGAGTGAAGGACTGAGAA
B-raf遺伝子についてのプライマー：
s    TGTATCACCATCTCCATATC
as    GCATTCTGATGACTTCTGGT
【請求項１０】
大便サンプル中の大腸癌細胞及び/又は大腸癌前駆細胞の検出における、請求項9に記載のキットの使用。
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
非ヒト哺乳動物であって、その肝臓が
Ａ）プロモーター；
Ｂ）プロテアーゼをコードするＤＮＡ、および
Ｃ）レポーターをコードするＤＮＡを含む遺伝子系を含み、Ａ、Ｂ、およびＣが作動可能に連結されており、レポーター活性の存在によりプロテアーゼ活性が示される、哺乳動物。
【請求項２】
前記レポーターが、分泌アルカリホスファターゼ（ＳＥＡＰ）、ルシフェラーゼ、クロラムフェニコールアセチルトランスフェラーゼ（ＣＡＴ）、ルシフェラーゼ、竅|ガラクトシダーゼ、緑色蛍光タンパク質（ＧＦＰ）、または西洋ワサビペルオキシダーゼである、請求項１に記載の哺乳動物。
【請求項３】
前記レポーターが分泌アルカリホスファターゼ（ＳＥＡＰ）である、請求項２に記載の哺乳動物。
【請求項４】
前記レポーターが、前記哺乳動物の血液、組織、または血清の中で検出可能である、請求項１〜３のいずれかに記載の哺乳動物。
【請求項５】
非ヒト哺乳動物であって、その肝臓が、作動可能に連結されたプロモーターと、その発現が肝障害を引き起こすタンパク質をコードするＤＮＡとを含む遺伝子系を含む、哺乳動物。
【請求項６】
前記タンパク質が、プロテアーゼ、キナーゼ、またはエステラーゼである、請求項５に記載の哺乳動物。
【請求項７】
前記プロテアーゼがウイルスプロテアーゼである、請求項１〜４または６のいずれかに記載の哺乳動物。
【請求項８】
前記プロテアーゼがＣ型肝炎プロテアーゼである、請求項７に記載の哺乳動物。
【請求項９】
前記プロテアーゼがＨＣＶ ＮＳ３・４Ａプロテアーゼである、請求項８に記載の哺乳動物。
【請求項１０】
前記プロテアーゼＤＮＡが野生型ＤＮＡである、請求項９に記載の哺乳動物。
【請求項１１】
前記プロテアーゼＤＮＡが変異型ＤＮＡである、請求項９に記載の哺乳動物。
【請求項１２】
前記遺伝子系が、ウイルスベクター、前記肝臓への直接的注射、静脈内注射、または非ウイルス遺伝子移入を使用することによって前記肝臓に送達される、請求項１〜１１のいずれかに記載の哺乳動物。
【請求項１３】
前記遺伝子系が、アデノウイルスベクターを使用することによって前記肝臓に送達される、請求項１２に記載の哺乳動物。
【請求項１４】
前記プロモーターが、ＣＭＶ、ＲＳＶ、ＳＶ４０、またはアルブミンプロモーターである、請求項１〜１３のいずれかに記載の哺乳動物。
【請求項１５】
前記プロモーターがＣＭＶプロモーターである、請求項１４に記載の哺乳動物。
【請求項１６】
前記哺乳動物が、マウス、ラット、またはチンパンジーである、請求項１〜１５のいずれかに記載の哺乳動物。
【請求項１７】
前記遺伝子系を含む、請求項１〜１６のいずれかに記載の非ヒト哺乳動物から得られた細胞。
【請求項１８】
Ａ）プロモーター；Ｂ）プロテアーゼをコードするＤＮＡ、およびＣ）レポーターをコードするＤＮＡを含み、Ａ、Ｂ、およびＣが作動可能に連結されており、レポーター活性の存在によりプロテアーゼ活性が示される遺伝子系を含む、肝細胞または肝細胞株。
【請求項１９】
プロモーターと、その発現が肝細胞損傷を引き起こすタンパク質をコードするＤＮＡとを含む肝細胞または肝細胞株。
【請求項２０】
Ａ）プロモーター；Ｂ）プロテアーゼをコードするＤＮＡ、およびＣ）レポーターをコードするＤＮＡを含み、Ａ、Ｂ、およびＣが作動可能に連結されている、ウイルスベクター。
【請求項２１】
作動可能に連結されたプロモーターと、その発現が肝障害を引き起こすタンパク質をコードするＤＮＡとを含むウイルスベクター。
【請求項２２】
プロテアーゼ活性についての哺乳動物モデルを作製するためのプロセスであって、
哺乳動物を供するステップと；
Ａ）プロモーター；Ｂ）プロテアーゼをコードするＤＮＡ、およびＣ）レポーターをコードするＤＮＡを含み、Ａ、Ｂ、およびＣが作動可能に連結されており、レポーター活性の存在によりプロテアーゼ活性が示される遺伝子系を前記哺乳動物に送達するステップと
を含みプロセス。
【請求項２３】
前記レポーターが、分泌アルカリホスファターゼ（ＳＥＡＰ）、ルシフェラーゼ、竅|ガラクトシダーゼ、または西洋ワサビペルオキシダーゼである、請求項２２に記載のプロセス。
【請求項２４】
前記レポーターが分泌アルカリホスファターゼ（ＳＥＡＰ）である、請求項２３に記載のプロセス。
【請求項２５】
前記レポーターが、哺乳動物の血液、組織、または血清の中で検出可能である、請求項２２〜２４のいずれかに記載のプロセス。
【請求項２６】
肝障害についての哺乳動物モデルを作製するためのプロセスであって、
ａ）哺乳動物を供するステップと；
ｂ）プロモーターと、その発現が肝細胞の損傷を引き起こすタンパク質をコードするＤＮＡとを含む遺伝子系を前記哺乳動物に送達するステップと
を含むプロセス。
【請求項２７】
前記タンパク質が、プロテアーゼ、キナーゼ、またはエステラーゼである、請求項２６に記載のプロセス。
【請求項２８】
前記プロテアーゼがウイルスプロテアーゼである、請求項２２〜２５または２７のいずれかに記載のプロセス。
【請求項２９】
前記プロテアーゼがＣ型肝炎プロテアーゼである、請求項２８に記載のプロセス。
【請求項３０】
前記プロテアーゼがＨＣＶ ＮＳ３・４Ａプロテアーゼである、請求項２９に記載のプロセス。
【請求項３１】
前記プロテアーゼＤＮＡが野生型ＤＮＡである、請求項３０に記載のプロセス。
【請求項３２】
前記プロテアーゼＤＮＡが変異型ＤＮＡである、請求項３０に記載のプロセス。  
【請求項３３】
前記遺伝子系が、ウイルスベクター、前記肝臓への直接的注射、静脈内注射、または非ウイルス遺伝子移入を使用することによって前記肝臓に送達される、請求項２２〜３２のいずれかに記載のプロセス。
【請求項３４】
前記遺伝子系が、アデノウイルスベクターを使用することによって前記肝臓に送達される、請求項３３に記載のプロセス。
【請求項３５】
前記プロモーターが、ＣＭＶ、ＲＳＶ、ＳＶ４０、またはアルブミンプロモーターである、請求項２２〜３４のいずれかに記載のプロセス。
【請求項３６】
前記プロモーターがＣＭＶプロモーターである、請求項３５に記載のプロセス。
【請求項３７】
前記哺乳動物が、マウス、ラット、またはチンパンジーである、請求項２２〜３６のいずれかに記載のプロセス。
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
MUC-1発現腫瘍を認識しうる免疫応答をin vivoで惹起しうるMUC-1タンパク質またはその誘導体をコードする核酸分子であって、該核酸が熱ショックタンパク質またはその断片をさらにコードする核酸分子。
【請求項２】
前記熱ショックタンパク質がマイコバクテリウム(Mycobacterium)由来のものである、請求項１記載の核酸分子。
【請求項３】
前記熱ショックタンパク質がHSP70である、請求項１または２記載の核酸分子。
【請求項４】
15個未満の完全反復配列単位を持つ請求項１記載のMUC-1誘導体をコードする核酸分子。
【請求項５】
完全反復配列を持たない、請求項４記載の核酸分子。
【請求項６】
シグナル配列を欠く、請求項１〜５のいずれか１項に記載の核酸分子。
【請求項７】
以下の群：FLSFHISNL、NSSLEDPSTDYYQELQRDISEおよびNLTISDVSVからの配列を１つ以上コードする、請求項１〜６のいずれか１項に記載の核酸分子。
【請求項８】
T-ヘルパーエピトープをコードする異種配列をさらに含む、請求項１〜７のいずれか１項に記載の核酸分子。
【請求項９】
請求項１〜７のいずれか１項に記載の核酸分子であって、該分子によりコードされるタンパク質がそのC末端にMUC-1成分を有する核酸分子。
【請求項１０】
請求項１〜７のいずれか１項に記載の核酸分子であって、該分子によりコードされるタンパク質がそのN末端にMUC-1成分を有する核酸分子。
【請求項１１】
コドン使用パターンが、高発現ヒト遺伝子のコドンの偏りにより近づくように変更されている、請求項１〜１０のいずれか１項に記載の核酸分子。
【請求項１２】
DNA分子である、請求項１〜１１のいずれか１項に記載の核酸分子。
【請求項１３】
請求項１〜１１のいずれか１項に記載の核酸によりコードされるタンパク質。
【請求項１４】
請求項１〜１１のいずれか１項に記載のDNA分子を含むプラスミド。
【請求項１５】
請求項１〜１２いずれか１項に記載の核酸または請求項１３記載のタンパク質または請求項１４記載のプラスミドおよび製薬上許容しうる賦形剤、希釈剤または担体を含む医薬組成物。
【請求項１６】
前記担体が微粒子である、請求項１５記載の医薬組成物。
【請求項１７】
前記微粒子が金である、請求項１６記載の医薬組成物。
【請求項１８】
アジュバントをさらに含む、請求項１５〜１７のいずれか１項に記載の医薬組成物。
【請求項１９】
医療に使用するための、請求項１〜１２のいずれか１項に記載の核酸、請求項１３記載のタンパク質、請求項１４記載のプラスミド、または請求項１５〜１８のいずれか１項に記載の医薬組成物。
【請求項２０】
MUC-1発現腫瘍の治療または予防のための医薬品の調製における、請求項１〜１２のいずれか１項に記載の核酸または請求項１３記載のタンパクまたは請求項１４記載のプラスミドの使用。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
歯科材料のためのカプセルアセンブリを形成する方法であって、
（ａ）外面および内部チャンバを有する容器を提供する工程であって、前記容器がレーザーマーキング向上ポリマーから形成され、選択された波長の光線の透過を抑制するように適合される工程、および
（ｂ）レーザーマーキング向上ポリマーを発泡させるのに十分なエネルギーレベルで、レーザーで発生した放射線に前記容器の外面の選択された部分を露光して前記外面に隆起した印を作り出す工程であって、前記印は、前記印を人が目視で検出できるように、および／又は光学機械で読み取って検出できるように、前記外面に対して十分なコントラストを有する工程、
を含む、方法。
【請求項２】
放射線反応性歯科修復材料を前記容器の前記内部チャンバに挿入する工程をさらに含む、請求項１に記載の方法。
【請求項３】
前記印が、文字、数字、記号、必要に応じて機械読み取り可能なバーコード又はこれらの逆像を包含する、請求項１に記載の方法。
【請求項４】
前記選択された波長が、３７０ｎｍ〜５３０ｎｍである、請求項１に記載の方法。
【請求項５】
前記容器が、前記容器から延びている放出ニップルを有し、前記方法がさらに、前記レーザーで発生した放射線に露光させる結果として、前記放出ニップルの外面に隆起した突起を作り出す工程を含む、請求項１に記載の方法。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
生産または発現される細胞からタンパク質または産物として分泌可能であり、かつ丸ごとの動物から排出可能であるレポータータンパク質をコードするレポーター遺伝子を含む核酸配列を含み、ペプチドタグをさらに含む核酸構築物。
【請求項２】
分泌／排出可能なタンパク質または産物が、調節された遺伝子の転写によって生産される、請求項１に記載の核酸構築物。
【請求項３】
分泌／排出可能なタンパク質または産物が、レポーターの翻訳の増加によって生産される、請求項１に記載の核酸構築物。
【請求項４】
レポーターの翻訳の増加が、ｍＲＮＡの安定性の向上または代謝回転の低下の結果である、請求項３に記載の核酸構築物。
【請求項５】
分泌／排出可能なタンパク質または産物が、翻訳後の調節によって生産される、請求項１に記載の核酸構築物。
【請求項６】
翻訳後の調節が、ポリユビキノン化の除去を介してのレポーターの安定性の向上、または小分子の代謝産物の蓄積もしくは排出の結果である、請求項５に記載の核酸構築物。
【請求項７】
ペプチドタグがエピトープタグの形状である請求項１〜６のいずれか１項に記載の核酸構築物。
【請求項８】
（ｉ）分泌／排出されるタンパク質をコードする核酸配列および／または（ｉｉ）ペプチドタグをコードする核酸配列の上流にプロモーターエレメントをさらに含む、請求項１〜７のいずれか１項に記載の核酸構築物。
【請求項９】
分泌／排出されるレポータータンパク質がＳＥＡＰである、請求項１〜８のいずれか１項に記載の核酸構築物。
【請求項１０】
構築物がＣｙｐＡ１プロモーターをさらに含む、請求項９に記載の核酸構築物。
【請求項１１】
分泌／排出されるレポータータンパク質が、修飾されたヒトβ絨毛性ゴナドトロピン（ｈＣＧ）分子である、請求項１〜８のいずれか１項に記載の核酸構築物。
【請求項１２】
構築物がストラチフィン遺伝子のプロモーターをさらに含む、請求項１１に記載の核酸構築物。
【請求項１３】
ｈＣＧにタグが付けられている、請求項１１または１２のいずれかに記載の核酸構築物。
【請求項１４】
ｈＣＧにｍｙｃ−タグが付けられている、請求項１３に記載の核酸構築物。
【請求項１５】
分泌／排出されるレポータータンパク質／産物が、ホルモン分子、抗体および酵素分子からなる群より選択される、請求項１〜８のいずれかに記載の核酸構築物。
【請求項１６】
ホルモン分子がＦＳＨである、請求項１５に記載の核酸構築物。
【請求項１７】
抗体がγ鎖または軽鎖（Ｂｅｎｃｅ Ｊｏｎｅｓ）タンパク質である、請求項１５に記載の核酸構築物。
【請求項１８】
酵素分子がネコの尿のカルボキシラーゼである、請求項１５に記載の核酸構築物。
【請求項１９】
請求項１〜１８のいずれか一項に記載の核酸構築物の少なくとも一つによりトランスフェクトされた宿主細胞。
【請求項２０】
請求項１〜１８のいずれか一項に記載の核酸構築物の少なくとも一つによりトランスフェクトされた細胞株。
【請求項２１】
トランスジェニック非ヒト動物であって、前記非ヒト動物の細胞が、請求項１〜１８のいずれか一項に記載の核酸構築物にコードされたタンパク質を発現するトランスジェニック非ヒト動物。
【請求項２２】
哺乳動物である、請求項２１に記載のトランスジェニック非ヒト動物。
【請求項２３】
哺乳動物がマウスである、請求項２２に記載のトランスジェニック非ヒト哺乳動物。
【請求項２４】
分泌／排出されるレポーター産物、レポータータンパク質またはレポーター分子が、尿、唾液、涙、乳汁、脳脊髄液および精液からなる群より選択される体液に排出される、請求項２１〜２３のいずれか１項に記載のトランスジェニック非ヒト動物。
【請求項２５】
分泌／排出されるレポーター産物、レポータータンパク質またはレポーター分子が、尿に排出される、請求項２１〜２４のいずれか１項に記載のトランスジェニック非ヒト動物。
【請求項２６】
分泌／排出されるレポーター部分が、６０〜１２０ｋＤａ未満の範囲の比較的低分子量である、請求項１９に記載の宿主細胞、請求項２０に記載の細胞株または請求項２１〜２５のいずれか１項に記載のトランスジェニック非ヒト動物。
【請求項２７】
分泌／排出されるレポーター部分が、親水性の球状三次構造を有し、その生物活性が低く、そして容易に検出し定量できるように天然の分子と明瞭に区別できるものである、請求項１９に記載の宿主細胞、請求項２０に記載の細胞株または請求項２１〜２５のいずれか１項に記載のトランスジェニック非ヒト動物。
【請求項２８】
請求項１〜１８に記載の二以上の核酸構築物を含む、請求項１９に記載の宿主細胞、請求項２０に記載の細胞株または請求項２１〜２５のいずれか１項に記載のトランスジェニック非ヒト動物。
【請求項２９】
インビトロまたはインビボでの細胞における改変された代謝状態の変化に起因する遺伝子活性化事象を検出するための、請求項１〜１８のいずれか一項に記載の核酸構築物の使用。
【請求項３０】
遺伝子活性化事象が、毒物学的ストレス、代謝状態の変化またはウイルス、細菌、真菌もしくは寄生虫の感染による誘導である、請求項２９に記載の使用。
【請求項３１】
請求項１〜１８のいずれか１項に記載の核酸構築物により安定的にトランスフェクトされた宿主細胞または請求項２１〜２５のいずれか１項に記載のトランスジェニック非ヒト動物をアッセイするステップを含む、細胞における遺伝子活性化事象をインビトロまたはインビボで検出する方法であって、前記細胞または動物は、前記タンパク質にエピトープのタグが任意選択的に付けられた分泌／排出されるレポータータンパク質の発現によって合図される遺伝子活性化事象を受けている、方法。
【請求項３２】
請求項１〜１８のいずれか一項に記載の核酸構築物によりトランスフェクトされたかまたは請求項１〜１８のいずれか一項に記載の核酸構築物を保持する細胞、細胞株または非ヒト動物の使用を含む、細胞、細胞株または非ヒト動物における毒物学的に誘導されたストレスをスクリーニングまたはモニタリングする方法。
【請求項３３】
請求項１〜１８のいずれか一項に記載の核酸構築物によりトランスフェクトされたかまたは請求項１〜１８のいずれか一項に記載の核酸構築物を保持する細胞、細胞株または非ヒト動物の使用を含む、ウイルス、細菌、真菌および寄生虫の感染をスクリーニングし特徴付けするための方法、またはがん、炎症性疾患、心疾患、代謝病、神経疾患および遺伝子に基づく病気をスクリーニングするための方法。
【手続補正書】
【提出日】平成19年6月12日(2007.6.12)
【手続補正１】
【補正対象書類名】明細書
【補正対象項目名】０００７
【補正方法】変更
【補正の内容】
【０００７】
プロコアギュラントリン脂質の測定のための現在の方法のさらに不都合な点は、例えば抗体のような凝固阻害剤に対するそれらの感受性である。それらの抗体は、自己免疫性疾患、例えば「抗リン脂質症候群」において頻繁に発生し、リン脂質含有試薬を使用するほとんどの凝固試験において延長をもたらし、それによってプロコアギュラントリン脂質のための現在の試験において誤った陰性の結果を与える。
【特許文献１】国際公開第００／２３６１２号パンフレット
【非特許文献１】M.C. BOFFA, ET AL. "ASSESSMENT OF PROCOAGULANT ACTIVITY OF PHOSPHOLIPIDS WITH A VENOM SPECIFIC INHIBITOR" THROMBOSIS RESEARCH. JUN 1974, vol. 4, no. 0, June 1974, p.suppl 1:89-90.
【非特許文献２】STOCKER, K.: "Anwendung von Schlangengiftproteinen in der Medizin" SCHWEIZERISCHE MEDIZINISCHE WOCHENSCHRIFT. 13 FEB 1999, vol. 129, no. 6. p.205-216.
【非特許文献３】BOFFA MARIE-CLAIRE:  "EVALUATION OF THE PHOSPHOLIPID-RELATED PROCOAGULANT ACTIVITY IN PLASMA. A NEW CLUE FOR DETECTING THEDENCY OF THROMBOSIS?" THROMBOSIS RESEARCH, TARRYTOWN, NY, US, vol. 17, no.3-4, 15 February 1980. p.567-572.
【非特許文献４】SUNDELL, ET AL. "In vitro procoagulant and anticoagulant properties of NAJA NAJA NAJA venom" TOXICON ELSEVIER, OFFICIAL JOURNAL OF THE INTERNATIONAL SOCIETY ON TOXINOLOGY. SEP 2003, vol. 42, no.3, p.239-247.
【非特許文献５】[online]、2006年10月16日検索、インターネット＜URL : http://www.sciencedirect.com/science?_ob=ArticleURL&_udi=B6TCS-4961RP8-1&_coverDate=09%2F30%2F2003&_alid=469021672&_rdoc=1&_fmt=&_orig=search&_qd=1&_cdi=5178&_sort=d&view=c&_acct=C000049880&_version=1&_urlVersion=0&_userid=987766&md5=8e7c5b55028e22bbdebadd8f4e83193a＞
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
少なくとも１つのＴＬＲ遺伝子の発現を選択的に調節する化合物を認定する方法であって、以下のステップ：
（１）複数のＴＬＲ遺伝子のそれぞれの発現を検出するための分析法を提供すること；
（２）被験化合物を使用して各分析法を実施すること；及び
（３）前記被験化合物が、少なくとも１つの第２のＴＬＲ遺伝子の発現を調節するのとは異なる程度に、第１のＴＬＲ遺伝子の発現を調節するのであれば、前記被験化合物を、少なくとも１つのＴＬＲ遺伝子の発現を選択的に調節する化合物として認定すること；
を含む、前記方法。
【請求項２】
前記化合物が、第１のＴＬＲ遺伝子の発現を誘導し、かつ少なくとも１つの第２のＴＬＲ遺伝子の発現を誘導しない、請求項１に記載の方法。
【請求項３】
請求項１に記載の方法により認定された化合物、およびその塩類。
【請求項４】
請求項１に記載の方法により認定された化合物、その薬学的に許容し得る塩、その誘導体、またはそのプロドラッグを含む医薬組成物。
【請求項５】
標的ＴＬＲ遺伝子発現プロフィールを有する標的化合物を認定する方法であって、以下のステップ：
（１）標的ＴＬＲ遺伝子発現プロフィールを選択すること；
（２）被験化合物のＴＬＲ遺伝子発現プロフィールを決定すること；及び
（３）前記被験化合物の前記ＴＬＲ遺伝子発現プロフィールが、前記標的ＴＬＲ遺伝子発現プロフィールを含むのであれば、前記被験化合物を、標的化合物として認定すること；
を含む、前記方法。
【請求項６】
前記標的ＴＬＲ遺伝子発現プロフィールが、標的化合物により検出可能に誘導されない１つ以上のＴＬＲ遺伝子を含む、請求項５に記載の方法。
【請求項７】
被験化合物のＴＬＲ遺伝子発現プロフィールを決定することが、ＴＬＲ遺伝子の発現を検出するための少なくとも１つの分析法を実施することを含む、請求項５に記載の方法。
【請求項８】
請求項５に記載の方法により標的化合物として認定された化合物、またはその薬学的に許容し得る形態。
【請求項９】
請求項５に記載の方法により認定された標的化合物、その薬学的に許容し得る形態、その誘導体、またはそのプロドラッグを含む医薬組成物。
【請求項１０】
免疫系の選択された細胞集団におけるＴＬＲ遺伝子の発現を調節する方法であって、以下のステップ：
（１）第１の免疫系細胞集団および第２の免疫系細胞集団を認定すること；
（２）第２の細胞集団における同一のＴＬＲ遺伝子の発現を調節するのとは異なる程度に、第１の細胞集団のＴＬＲ遺伝子の発現を調節する化合物を選択すること；及び
（３）前記免疫系の細胞を、前記細胞集団の少なくとも１つにおける少なくとも１つのＴＬＲ遺伝子の発現を調節するのに有効な量の前記選択された化合物と接触させること；
を含む、前記方法。
【請求項１１】
前記少なくとも１つの細胞集団を、前記選択された化合物とｉｎ  ｖｉｔｒｏで接触させる、請求項１０に記載の方法。
【請求項１２】
前記少なくとも１つの細胞集団を、前記選択された化合物とｉｎ  ｖｉｖｏで接触させる、請求項１０に記載の方法。
【請求項１３】
対象における複数のＴＬＲ遺伝子の少なくとも１つの発現を選択的に調節することにより治療可能な状態を治療する方法であって、以下のステップ：
（１）前記状態の治療に有効な標的ＴＬＲ発現プロフィールを認定すること；
（２）前記標的プロフィールに一致するＴＬＲ発現プロフィールを有する化合物を選択すること；及び
（３）前記状態を治療するのに有効な前記化合物の量を前記対象に投与すること；
を含む、前記方法。
【請求項１４】
前記状態が、感染症または新生物の状態である、請求項１３に記載の方法。
【請求項１５】
前記感染症が、ウイルス性疾患、真菌病、寄生虫病、細菌性疾患、またはプリオン介在性疾患である、請求項１４に記載の方法。
【請求項１６】
前記新生物の状態が、上皮内新生物、前癌新生物、または癌である、請求項１４に記載の方法。
【請求項１７】
ＴＬＲ遺伝子の発現を増加させるように選択される第１の化合物；及び
その発現が前記第１の化合物により増加される前記ＴＬＲ遺伝子の作動薬である第２の化合物、
を含む医薬組成物。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
少なくとも１の化学的に修飾された糖部分、ヌクレオシド間結合、または核酸塩基を有する、配列番号：４０または配列番号：９７に示すヌクレオチド配列を含むアンチセンス・オリゴヌクレオチドまたはその薬学的に許容される塩。
【請求項２】
少なくとも１の２’−Ｏ−（２−メトキシエチル）糖部分を有する請求項１に記載のアンチセンス・オリゴヌクレオチドまたはその薬学的に許容される塩。
【請求項３】
少なくとも１のホスホロチオアートヌクレオシド間結合を有する請求項１または２に記載のアンチセンス・オリゴヌクレオチドまたはその薬学的に許容される塩。
【請求項４】
少なくとも１のシトシンが５−メチルシトシンである請求項１〜３のいずれかに記載のアンチセンス・オリゴヌクレオチドまたはその薬学的に許容される塩。
【請求項５】
すべてのヌクレオシド間結合が、ホスホロチオアート結合であり、５’末端から３’末端に読んで配列番号：４０もしくは配列番号：９７のヌクレオチド１〜５および１６〜２０がそれぞれ、２’−Ｏ−（２−メトキシエチル）糖を含み、ヌクレオチド６〜１５が、２’−デオキシヌクレオチドであり、すべてのシトシンが５−メチルシトシンである、
請求項１〜４のいずれかに記載のアンチセンス・オリゴヌクレオチドまたはその薬学的に許容される塩。
【請求項６】
ナトリウム塩の形態である請求項１〜５のいずれかに記載のアンチセンス・オリゴヌクレオチドまたはその薬学的に許容される塩。
【請求項７】
少なくとも１の化学的に修飾された糖部分、ヌクレオシド間結合、または核酸塩基を有する、配列番号：４０または配列番号：９７に示すヌクレオチド配列からなる、ナトリウム塩の形態であるアンチセンス・オリゴヌクレオチド。
【請求項８】
すべてのヌクレオシド間結合が、ホスホロチオアート結合であり、５’末端から３’末端に読んでヌクレオチド１〜５および１６〜２０がそれぞれ、２’−Ｏ−（２−メトキシエチル）糖を含み、ヌクレオチド６〜１５が、２’−デオキシヌクレオチドであり、少なくとも１のシトシンが５−メチルシトシンである、配列番号：４０または配列番号：９７に示すヌクレオチド配列からなる、ナトリウム塩の形態であるアンチセンス・オリゴヌクレオチド。
【請求項９】
すべてのヌクレオシド間結合が、ホスホロチオアート結合であり、５’末端から３’末端に読んでヌクレオチド１〜５および１６〜２０がそれぞれ、２’−Ｏ−（２−メトキシエチル）糖を含み、ヌクレオチド６〜１５が、２’−デオキシヌクレオチドであり、すべてのシトシンが５−メチルシトシンである、配列番号：４０または配列番号：９７に示すヌクレオチド配列からなる、ナトリウム塩の形態であるアンチセンス・オリゴヌクレオチド。
【請求項１０】
薬物として用いる請求項１〜９のいずれかに記載のアンチセンス・オリゴヌクレオチドまたはその薬学的に許容される塩。
【請求項１１】
請求項１〜９のいずれかに記載のアンチセンス・オリゴヌクレオチドまたはその薬学的に許容される塩、および薬学的または生理学的に許容される担体、希釈剤、または賦形剤を含む薬学的または獣医学的組成物。
【請求項１２】
非経口投与用の形態である、請求項１０記載の薬学的または獣医学的組成物。
【請求項１３】
該非経口投与が静脈注射または注入を介して行われる請求項１１記載の薬学的または獣医学的組成物。
【請求項１４】
ｅＩＦ４Ｅ発現もしくは過剰発現と関連する症状または疾患の 処置のための薬物の製造のための、請求項１〜９のいずれかに記載のアンチセンス・オリゴヌクレオチドまたはその薬学的に許容される塩の使用。
【請求項１５】
ｅＩＦ４Ｅ発現もしくは過剰発現と関連する症状または疾患が過剰増殖症状または疾患である請求項１４記載の使用。
【請求項１６】
該過剰増殖症状または疾患が、感受性癌、腫瘍、または異常な血管新生を特徴とする症状である請求項１５記載の使用。
【請求項１７】
該過剰増殖症状または疾患が、乳癌、頭頚部癌、大腸直腸癌、前立腺癌、肺癌、膀胱癌、卵嚢癌、腎癌、およびグリア芽細胞腫からなる群より選択される、請求項１６記載の使用。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
水晶体超音波乳化吸引術用手術器具に係合するねじ付きハブと、前記ハブに取り付けられた近接端部と末端部とを有する細長い水晶体超音波乳化吸引術用針と、を具備する、水晶体超音波乳化吸引術用カニューレであって、
前記水晶体超音波乳化吸引術用針は、第一及び第二内径を有していて、
前記第一内径は、前記第二内径よりも大きくて、前記第一内径から第二内径への遷移部分が、前記末端部よりも前記近接端部に、より近接していて、
前記第一内径が前記末端部から前記近接端部に向かって延びており、
手術中に超音波エネルギーが前記手術器具から前記針に伝達される、
水晶体超音波乳化吸引術用カニューレ。
【請求項２】
前記遷移部分は、半径変化を含む請求項１に記載のカニューレ。
【請求項３】
近接端部と末端部を有する細長い水晶体超音波乳化吸引術用針であって、前記近接端部は、水晶体超音波乳化吸引術用手術器具を取付けるように構成される、前記細長い水晶体超音波乳化吸引術用針を具備する、水晶体超音波乳化吸引術用針であって、
前記針は、第一及び第二内径を有しており、
前記第一内径は、第二内径よりも大きくて、
前記第一内径から前記第二内径への遷移部分が、前記末端部よりも前記近接端部により近接していて、前記第一内径が前記末端部から前記近接端部に延びる、水晶体超音波乳化吸引術用針。
【請求項４】
前記遷移部分が半径変化を含む、請求項３に記載の針。
【請求項５】
近接端部と末端部を有する細長い針であって、前記近接端部は、手術器具を取付けるように構成される、前記細長い針と、
前記末端部から前記近接端部に向かって伸びているカニューレの第一穴と、
前記近接端部から前記第一穴に伸びている、前記カニューレの第二穴と、を具備する水晶体超音波乳化吸引術用カニューレであって、
前記第二穴は、前記第一穴より小さい直径を有し、使用時に前記第二穴の全長で、所望の圧力降下を提供するように十分長くて、
前記第一及び前記第二穴の遷移部分は、前記末端部よりも前記近接端部に、より近い、水晶体超音波乳化吸引術用カニューレ。
【請求項６】
前記遷移部分が半径変化を含む、請求項５に記載の針。
【請求項７】
前記遷移部分は、前記第一と前記第二内径を接続する、円錐状表面を含む請求項５に記載の針。
【請求項８】
前記遷移部分は、前記第一及び前記第二内径の間に、少なくとも一つの付加的な段状の内径を含んでいて、前記付加的な内径は、前記第一内径よりも小さいが、前記第二内径よりも大きい、請求項５に記載の針。
【手続補正２】
【補正対象書類名】明細書
【補正対象項目名】０００７
【補正方法】変更
【補正の内容】
【０００７】
図２は、針１０の断面斜視図を示す。水晶体用カニューレ１０は、それぞれ第一及び第二直径２２及び２４を有している針１２を含む。図に示すように、第一内径２２は、第二内径２４より大きい。加えて、第一内径２２から第二内径２４への遷移部分(transition)２６は、末端部１６よりも近接端部１４に近接している。カニューレ１０を別の観点から見ると、カニューレ１０は、末端部１６と、例えば、図１で示されるようなネジ２０によって、手術器具３０に取付けるために構成された近接端部２８を有する細長い針１２を有している。この観点から考えると、遷移部分２６は、末端部１６より、近接端部２８により近接していることがさらに重要である。
【手続補正書】
【提出日】平成19年8月3日(2007.8.3)
【手続補正１】
【補正対象書類名】特許請求の範囲
【補正対象項目名】請求項１９
【補正方法】変更
【補正の内容】
【請求項１９】
前記体外式除細動器は、半自動の体外式除細動器である請求項１７に記載の電気療法装置。
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
互いに融着及び／又は接着剤結合することができる少なくとも2種のフォイル、カバーフォイル並びにベースフォイルからなる軟質及び透明な医薬用ブリスターであって、これらのフォイルの少なくとも1種が、その上にガス、水蒸気又は有機物質に対するバリア効果を有する酸化ケイ素-又は酸化チタン-含有の透明又は半透明の機能層が適用されたプラスチック表面を有する、医薬用ブリスター。
【請求項２】
前記機能層が、少なくとも2種の部分層からなることを特徴とする、請求項1記載の医薬用ブリスター。
【請求項３】
前記2種の部分層が、SiOxCyHz部分層及びSiOx'Cy'Hz'部分層であり、ここでx'は、xよりも大きいか又はこれと等しく、y'は、y未満であるか又はこれと等しく、並びにz'は、z未満であるか又はこれと等しいことを特徴とする、請求項2記載の医薬用ブリスター。
【請求項４】
前記機能層が、少なくとも1種の別のSiOaCbHc部分層を含み、ここでaはx'未満であるか又はこれと等しく、及びbはy'よりも大きいか又はこれと等しく、並びにcはz'よりも大きいか又はこれと等しく、SiOx'Cy'Hz'部分層は、SiOxCyHz部分層及びSiOaCbHc部分層の間に位置し、層の内側へと向かう機能層の全体の配列は、C原子対Si原子の最小比を有することを特徴とする、請求項3記載の医薬用ブリスター。
【請求項５】
前記SiOxCyHz部分層が、固有に変動する化学量論組成を有する積層構造であることを特徴とする、請求項1〜4のいずれか1項記載の医薬用ブリスター。
【請求項６】
前記個々の部分層において、Si原子が、部分的にもしくは全体的にTi原子と置換されるか、又は式TiOxCyHz及び／又はTiOx'Cy'Hz'の追加の部分層が組込まれている(ここでx、y、z、x'、y'、z'は、請求項3に又は請求項4に従い定義されている。)ことを特徴とする、請求項3〜5のいずれか1項記載の医薬用ブリスター。
【請求項７】
前記カバーフォイル及びベースフォイルの両方が、各々機能層により気相コーティングされているプラスチック表面を有することを特徴とする、請求項1〜6のいずれか1項記載の医薬用ブリスター。
【請求項８】
前記1個又は複数のプラスチック表面が、PVC(ポリ塩化ビニル)、COC(シクロオレフィン系コポリマー、ポリクロロトリフルオロエチレン、COP(シクロオレフィン系ポリマー、ポリエチレン、ポリプロピレン、ポリエチレンテレフタレート、ポリブテン及びポリメチルペンテン、ポリカーボネート、ポリエステル、ポリアクリレートもしくはポリアミド、又はそれらの複合体もしくは積層品からなる群より(互いに独立して)選択されるプラスチックを含むか又はそれらからなることを特徴とする、請求項1〜7のいずれか1項記載の医薬用ブリスター。
【請求項９】
前記機能層が、PICVD法によるか又はPECVD法により適用されることを特徴とする、請求項1〜8のいずれか1項記載の医薬用ブリスターの製造法。
【請求項１０】
前記方法が、CVD法であることを特徴とする、請求項9記載の方法。
【請求項１１】
前記真空プロセスが、直線形のプラズマ源及び連続流れによるPICVD法であることを特徴とする、請求項9記載の方法。
【請求項１２】
前記プラズマ光が、ブリスター内容物中の細菌数を減少するためにも使用されることを特徴とする、請求項9〜11のいずれか1項記載の方法。
【請求項１３】
前記コーティングが、フォイル造形プロセスからまだ温かい表面の上で実行されることを特徴とする、請求項9〜12のいずれか1項記載の方法。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
細長い部材と；
前記細長い部材から末端に延び、また前記細長い部材と同一の材料部分から形成される回収組立て品であって、前記同一の材料部分の少なくとも一部を取り除くことにより形成される回収組立て品；
を具備する、医療装置。
【請求項２】
形状記憶材料から作製され、また複数の脚と網製品とを具備するバスケットであって、前記バスケットがほぼ開放状態にあるとき、前記複数の脚の第一脚末端部は、前記複数の脚の第二脚末端部から離れて湾曲するよう設定され、また前記網製品は前記複数の脚の各末端部に接続される、バスケットと；
前記バスケットの基端部に接続され、また鞘の内腔の内部に配置される細長い部材であって、前記バスケットは、前記バスケットが前記鞘の前記内腔の内部にほぼ配置される折り畳み状態と、前記バスケットが前記鞘の前記内腔のほぼ外部にある拡張状態とを有する、細長い部材と；
を具備する、医療装置。
【請求項３】
形状記憶材料から作製され、ほぼらせん状の脚と前記脚の基端部に向かって湾曲される自由末端部とを具備するバスケットと；
前記バスケットの基端部に接続され、また医療装置の鞘の内腔の内部に配置される細長い部材であって、前記バスケットは、前記バスケットが前記鞘の前記内腔の内部にほぼ配置される折り畳み状態と、前記バスケットが前記鞘の前記内腔のほぼ外部にある拡張状態とを有する、細長い部材と；
を具備する、医療装置。
【請求項４】
内腔を有する鞘と；
前記鞘の前記内腔の内部に配置され、また前記鞘に対し長手方向に移動可能である細長い作動部材と；
複数の脚と、前記鞘に固定される前記複数の脚の各末端部と、前記細長い作動部材に固定される前記複数の脚の各基端部とを含むバスケットであって、前記鞘に対する前記細長い作動部材の移動は末部で前記バスケットを拡張する、バスケットと；
を具備する、医療装置。
【請求項５】
内腔を有する鞘と；
前記鞘の前記内腔の内部に配置され、また前記鞘に対し長手方向に移動可能である細長い作動部材と；
前記細長い作動部材の内腔の内部に少なくとも一部は配置される安定化部材であって、前記細長い作動部材に対し長手方向に移動可能である、安定化部材と；
複数の脚と、前記安定化部材に連結される前記複数の脚の各末端部と、前記細長い作動部材に連結される前記複数の脚の各基端部と、前記バスケットが閉鎖状態にあるとき、前記鞘の外表面に隣接して延びる前記複数の脚の各々の少なくとも一部とを含む、バスケットと；
を具備する、医療装置。
【請求項６】
内腔を有する鞘と；
前記鞘の前記内腔の内部に配置され、また前記鞘に対し長手方向に移動可能である細長い作動部材と；
前記細長い作動部材の内部に少なくとも一部は配置され、また前記鞘の前記内腔の内部の前記細長い作動部材に対し長手方向に移動可能である安定化部材と；
複数の脚と、前記安定化部材の末端部に固定される前記複数の脚の各末端部と、前記細長い作動部材に固定される前記複数の脚の各基端部と、前記バスケットが閉鎖状態にあるとき、前記鞘の前記内腔の内部にほぼ全体的に配置される前記複数の脚の各々とを含む、バスケットと；
を具備する、医療装置。
【請求項７】
内腔を有する鞘と；
前記鞘の前記内腔の内部に配置され、また前記鞘に対し長手方向に移動可能である細長い作動部材と；
複数の基部脚を含む基部バスケットであって、前記複数の基部脚の各末端部は、前記鞘の表面に接続される、基部バスケットと；
複数の末部脚を含む末部バスケットであって、前記複数の末部脚の各基端部は、前記細長い作動部材の末端部に接続される、末部バスケットと；
を具備する、医療装置。
【請求項８】
内腔を有する鞘と；
前記内腔の内部に配置され、また前記内腔に対し移動可能であるシャフトと；
形状記憶材料から成る複数の脚を含む回収組立て品であって、前記回収組立て品がほぼ拡張状態にあるとき、前記複数の脚の各々は、前記シャフトの末端部に固定して取り付けられる基端部と、前記シャフトの前記末端部を超えて基部方向に延びる自由末端部とを有する、回収組立て品と；
を具備する、医療装置。
【請求項９】
医療装置を作製する方法であって、
細長い部材を提供する段階と；
回収組立て品を形成するよう前記細長い部材の少なくとも一部を取り除く段階であって、前記回収組立て品は、少なくとも二つのループを具備し、前記少なくとも二つのループの各々は、前記細長い部材と一体の基端部を有する、段階と；
を含む、作製方法。
【請求項１０】
医療装置を作製する方法であって、
細長い部材を提供する段階と；
回収組立て品を形成するために、前記細長い部材の一部を取り除く段階であって、前記回収組立て品は、複数の末部脚へ延びる少なくとも二つの基部脚を具備し、前記複数の末部脚の各々は、前記回収組立て品の末端部で接続される、段階と；
を含む、作製方法。
【請求項１１】
細長い部材と；
前記細長い部材から末端に延び、また前記細長い部材と同一の材料部分から形成される回収組立て品であって、前記同一の材料部分の少なくとも一部を取り除くことにより形成される回収組立て品；
を具備する医療装置であって、
前記回収組立て品は複数の脚を具備し、前記複数の脚の各々は、自由末端部を含み、前記複数の脚は、前記回収組立て品が折り畳み状態にあるときほぼ真直ぐな形状から、前記回収組立て品が拡張状態にあるときほぼ湾曲した形状に移行するよう設定されるものにおいて、
前記複数の脚の各々の前記自由末端部は、前記脚が前記ほぼ湾曲した形状へ移行すると、前記装置の長手方向軸から離れる方向に湾曲する、
医療装置。
【請求項１２】
細長い部材と；
前記細長い部材から末端に延び、また前記細長い部材と同一の材料部分から形成される回収組立て品であって、前記同一の材料部分の少なくとも一部を取り除くことにより形成される回収組立て品；
を具備する医療装置であって、
前記回収組立て品はさらに、二つの対向ループを具備し、各ループは前記細長い部材に接続され、
各ループはさらに、自由末端部を具備し、前記回収組立て品が拡張状態から折り畳み状態へ移行するとき、前記末端部は互いに向かって移動するよう設定され、
前記各ループの対向する内向表面は、その間の材料を掴むよう設定される、
医療装置。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
側面に開口するスリットを有するクリーニングパッドと共に用いるハンドルアセンブリであって、該ハンドルアセンブリは、
互いに反対側の第１および第２の端部並びに該第１および第２の端部の間に延在する互いに反対側の内面および外面を有する第１の挿入可能部分と、互いに反対側の第１および第２の端部を有するハンドル部分とを備える第１の部材であって、該ハンドル部分の該第１の端部が該第１の挿入可能部分の該第２の端部に固定され、該ハンドル部分が、該ハンドル部分の該第２の端部に近接する手係合可能部分を有する、第１の部材と、
互いに反対側の第１および第２の端部並びに該第１および第２の端部の間に延在する互いに反対側の内面および外面を有する第２の挿入可能部分と、互いに反対側の第１および第２の端部を有する作動部分とを備える第２の部材であって、該作動部分の該第１の端部が該第２の挿入可能部分の該第２の端部に固定されている、第２の部材とを具備し、
前記第２の挿入可能部分の前記第１の端部は、前記第１の挿入可能部分の前記第１の端部に、該第１および第２の挿入可能部分の前記内面を近接させて回動可能に取り付けられ、それにより、該第１および第２の挿入可能部分は、該第１および第２の挿入可能部分の前記外面が該第１および第２の挿入可能部分の前記第１の端部から徐々に広がる分出位置と、該第１および第２の挿入可能部分の該外面が略平行であるか或いは該分出位置よりも平行に近くなる近接位置との間で、前記作動部分の操作により相対移動するようになっており、
前記第１および第２の挿入可能部分の少なくとも一方は、該一方の挿入可能部分の前記内面から突出する少なくとも１つの刺部を有し、前記挿入可能部分の他方は、該刺部に対して位置合せされた開口部を有し、該刺部は、前記近接位置にある該他方の挿入可能部分の前記外面の上方に突出して、クリーニングパッドのスリット内に該挿入可能部分が有るときに該刺部が該クリーニングパッドに係合するようになっており、該刺部は、前記分出位置にある双方の該挿入可能部分の該外面の間に実質的に配置されて、それら挿入可能部分が該クリーニングパッドに対して該スリット内で移動できるようになっている、
ハンドルアセンブリ。
【請求項２】
前記第１および第２の挿入可能部分の一方が、該一方の第１および第２の挿入可能部分の前記内面から突出する２つの刺部を有し、前記第１および第２の挿入可能部分の他方が、該他方の第１および第２の挿入可能部分の前記内面から突出する１つの刺部を有し、前記第１および第２の挿入可能部分の各々が、該第１および第２の挿入可能部分の他方の刺部に対して位置合せされた１つ以上の開口部を有し、それら刺部は、前記近接位置にあるそれら挿入可能部分の前記外面の上方に突出して、前記クリーニングパッドの前記スリット内に該挿入可能部分が有るときに該刺部が該クリーニングパッドに係合するようになっており、該刺部は、前記分出位置にある双方の該挿入可能部分の該外面の間に実質的に配置されて、該第１および第２の挿入可能部分が該クリーニングパッドに対して該スリット内で移動できるようになっている、請求項１に記載のハンドルアセンブリ。
【請求項３】
前記刺部は、前記第１および第２の挿入可能部分のそれぞれの前記第２の端部に向かって突出し、それにより、前記第１および第２の挿入可能部分が前記近接位置にあるときに、該第１および第２の挿入可能部分を前記クリーニングパッドの前記スリット内に移動させることができる、請求項２に記載のハンドルアセンブリ。